(57)【要約】【課題】支持部材が踏段の前軸と共に回転することを抑えることができる乗客コンベアのオイルパン清掃装置の提供。【解決手段】チェーン４を介して無端状に連結された複数の踏段３の前軸７ａに取り付けられる支持部材１２Ｂと、この支持部材１２Ｂに一端を回動可能に支持され、他端を踏段３の進行方向に向かって延在させて複数の踏段３の下方に沿って延設されたオイルパン５上面に摺接する板状の清掃体１２Ａとを備え、複数の踏段３を循環移動させてオイルパン５上に堆積した塵埃を清掃する乗客コンベアのオイルパン清掃装置１２において、支持部材１２Ｂが取り付けられた前軸７ａを回転不能に保持する保持手段、例えば回転抑止体である粘着テープ１３を設けた構成にしてある。【選択図】図２
2010222089.tif 000002
【特許請求の範囲】
【請求項１】
チェーンを介して無端状に連結された複数の踏段の前軸に取り付けられる支持部材と、この支持部材に一端を回動可能に支持され、他端を前記踏段の進行方向に向かって延在させて前記複数の踏段の下方に沿って延設されたオイルパン上面に摺接する板状の清掃体とを備え、前記複数の踏段を循環移動させて前記オイルパン上に堆積した塵埃を清掃する乗客コンベアのオイルパン清掃装置において、
前記支持部材が取り付けられた前記前軸を回転不能に保持する保持手段を備えたことを特徴とする乗客コンベアのオイルパン清掃装置。
【請求項２】
請求項１に記載の乗客コンベアのオイルパン清掃装置において、前記保持手段は、前記支持部材が取り付けられた前記前軸の前後に位置する前記前軸から前記支持部材が取り付けられた前記前軸にそれぞれ取り付けられ、この前軸を回転不能に支持する一対の回転抑止体から成ることを特徴とする乗客コンベアのオイルパン清掃装置。
【請求項３】
請求項２に記載の乗客コンベアのオイルパン清掃装置において、前記一対の回転抑止体は粘着テープからそれぞれ成ることを特徴とする乗客コンベアのオイルパン清掃装置。
【発明の詳細な説明】
【技術分野】
【０００１】
本発明は、乗客コンベアの下側に沿って延設されたオイルパン上に堆積した塵埃等の清掃に用いられ、特に踏段の前輪軸に取り付けられる乗客コンベアのオイルパン清掃装置に関する。
【背景技術】
【０００２】
従来、乗客コンベアはデパート等で来客サービスのために設けられる場合が多かったが、最近は交通機関の発達により、駅のホームヘの乗客の昇降のサービスのためにも多く設置されるようになり、多くの人が利用している。このように、多くの人が利用する乗客コンベアにおいて、人の衣類等から落ちた挨や風で運ばれた塵埃等が乗客コンベアの踏段の隙間から乗客コンベアの内部に侵入し、乗客コンベアの下側に沿って延設されたオイルパン上に長期間に亘って堆積し、多量に堆積した塵挨が乗客コンベアの故障原因になったり、何らかの火花や発熱あるいは投げ捨て煙草の残火等によって引火して発火する恐れがあった。
【０００３】
そこで、乗客コンベアの約半数の螺子止めされた踏段を取り外して、作業員が箒やブラシでオイルパン上に堆積した塵挨を掃き落とす清掃作業が行われていた。このような乗客コンベアの内部の狭い空間内で行われる清掃作業は挨、油塗れになるため、作業員の心理的苦痛を増大させるばかりでなく、重量の重い踏段を取り外し、その後、取り付ける作業は大変な重労働であり、２人〜数人の作業員がこの作業のために半日〜１日を費やして実施していた。
【０００４】
かかる作業員の清掃作業における重負担を緩和するために、後部が踏段の前輪軸に着脱自在に取り付けられて斜め前方へ傾斜する清掃体としての取付本体と、この取付本体の下面と一部が重なり合うと共に、取付本体の下端部に回動自在に取り付けられてオイルパンの上面に当接するスクレーパーとを備えた乗客コンベアのオイルパン清掃装置が知られている（例えば、特許文献１参照）。
【０００５】
しかし、この特許文献１に開示された乗客コンベアのオイルパン清掃装置は寸法が大きく、重量も重いので、使い勝手が悪く、現場ではあまり普及されていなかった。
【０００６】
そこで、他の従来技術の１つとして、オイルパン上面に摺接する際の衝撃を緩和すると共に、上記取付本体にダンボール等を用いて軽量にした乗客コンベアのオイルパン清掃装置も提案されている（例えば、特許文献２参照）。
【先行技術文献】
【特許文献】
【０００７】
【特許文献１】特開平９−１１８４８７号公報
【特許文献２】特開２００８−２１３９５８号公報
【発明の概要】
【発明が解決しようとする課題】
【０００８】
ここで、特許文献２に開示された乗客コンベアのオイルパン清掃装置は、踏段の踏板の上面後部に着脱自在に取り付けられる構造であるが、乗客コンベアの種類によっては踏板に取り付けられない場合があり、清掃作業を実施できない問題がある。そこで、上述した特許文献１に記載のオイルパン清掃装置のように、乗客コンベアの踏段の前軸に取り付ける方法が考えられるが、以下のような懸念が生じる。
【０００９】
図３は従来の乗客コンベアのオイルパン清掃装置を踏段の前軸に取り付けた場合の動作を説明する図であり、（ａ）図は正常な清掃が行われているときの要部を示す図、（ｂ）図は清掃時に異常が生じたときの要部を示す図である。
【００１０】
図３（ａ）図に示すように、従来の乗客コンベアのオイルパン清掃装置１２は、チェーン４を介して無端状に連結された図示しない複数の踏段の前軸７ａに取り付けられた支持部材１２Ｂと、この支持部材１２Ｂに一端を回動可能に支持され、他端を踏段の進行方向に向かって延在させて複数の踏段の下方に沿って延設されたオイルパン５上面に摺接する板状の清掃体１２Ａとを備えている。
【００１１】
そして、図示しない駆動装置によってこれら踏段を循環移動させ、清掃体１２Ａでオイルパン５上に堆積した塵埃を清掃する。このとき、オイルパン清掃装置１２がオイルパン５から受ける抵抗力をｆ、清掃体１２Ａとオイルパン５とのなす角をθとすると、オイルパン清掃装置１２に掛かる荷重Ｆは以下の（１）式となる。
【００１２】
Ｆ＝ｆ／ｃｏｓθ                                      ・・・・・・・（１）
なお、図３では踏段の進行方向は右から左方向となっている。
【００１３】
しかしながら、上述した特許文献２に開示された従来の乗客コンベアのオイルパン清掃装置１２では、清掃体１２Ａがダンボール等を用いて軽量に構成されているので、オイルパン清掃装置１２自体の剛性が低くなっている。そのため、図３（ｂ）図に示すように、オイルパン清掃装置１２がオイルパン５から抵抗力ｆを受けると、支持部材１２Ｂが前軸７ａと共に回転し易い状態となっている。そして、支持部材１２Ｂが前軸７ａと共に回転すると、清掃体１２Ａとオイルパン５とのなす角θが大きくなるので、（１）式より、オイルパン清掃装置１２に掛かる荷重Ｆが過大となる。その結果、オイルパン清掃装置１２が破損する懸念がある。
【００１４】
本発明は、このような従来技術の実情に鑑みてなされたもので、その目的は、支持部材が踏段の前軸と共に回転することを抑えることができる乗客コンベアのオイルパン清掃装置を提供することにある。
【課題を解決するための手段】
【００１５】
上記の目的を達成するために、本発明の乗客コンベアのオイルパン清掃装置は、チェーンを介して無端状に連結された複数の踏段の前軸に取り付けられる支持部材と、この支持部材に一端を回動可能に支持され、他端を前記踏段の進行方向に向かって延在させて前記複数の踏段の下方に沿って延設されたオイルパン上面に摺接する板状の清掃体とを備え、前記複数の踏段を循環移動させて前記オイルパン上に堆積した塵埃を清掃する乗客コンベアのオイルパン清掃装置において、前記支持部材が取り付けられた前記前軸を回転不能に保持する保持手段を備えたことを特徴としている。
【００１６】
このように構成した乗客コンベアのオイルパン清掃装置は、支持部材が取り付けられた踏段の前軸を保持手段で回転不能にすることにより、オイルパンから抵抗力を受けても支持部材が前軸と共に回転することを抑えることができ、これに伴って清掃時に清掃体とオイルパンとのなす角を小さく保つことができる。これにより、オイルパン清掃装置が破損することを防止することができる。
【００１７】
また、本発明に係る乗客コンベアのオイルパン清掃装置は、前記発明において、前記保持手段は、前記支持部材が取り付けられた前記前軸の前後に位置する前記前軸から前記支持部材が取り付けられた前記前軸にそれぞれ取り付けられ、この前軸を回転不能に支持する一対の回転抑止体から成ることを特徴としている。
【００１８】
このように構成した乗客コンベアのオイルパン清掃装置は、支持部材が取り付けられた前軸を前後から回転抑止体で支持することにより、支持部材と前軸が共に前軸の軸線周りに回転することを確実に防止することができ、清掃体が前軸に対して安定した状態を保つことができる。
【００１９】
また、本発明に係る乗客コンベアのオイルパン清掃装置は、前記発明において、前記一対の回転抑止体は粘着テープからそれぞれ成ることを特徴としている。このように構成すると、これら粘着テープを支持部材が取り付けられた前軸の前後に位置する前軸から支持部材が取り付けられた前軸にそれぞれ取り付けるだけでよいので、取付作業が簡便であり、製作コストを低減することができる。
【発明の効果】
【００２０】
本発明の乗客コンベアのオイルパン清掃装置は、チェーンを介して無端状に連結された複数の踏段の前軸に取り付けられる支持部材と、この支持部材に一端を回動可能に支持され、他端を踏段の進行方向に向かって延在させて複数の踏段の下方に沿って延設されたオイルパン上面に摺接する板状の清掃体とを備えており、支持部材が取り付けられた前軸を保持手段で回転不能にすることによって、オイルパンから抵抗力を受けても支持部材が前軸と共に回転することを抑えることができる。そのため、清掃時に清掃体とオイルパンとのなす角を小さく維持することができ、オイルパン清掃装置が破損することを防止することができる。これにより、ダンボール等を用いて軽量にした清掃体であっても異常が生じることなく使用することができる。
【図面の簡単な説明】
【００２１】
【図１】本発明に係るオイルパン清掃装置の一実施形態が適用される乗客コンベアの一例として挙げたエスカレータを示す側面図である。
【図２】本実施形態の構成を示す平面図である。
【図３】従来の乗客コンベアのオイルパン清掃装置を踏段の前軸に取り付けた場合の動作を説明する図であり、（ａ）図は正常な清掃が行われているときの要部を示す図、（ｂ）図は清掃時に異常が生じたときの要部を示す図である。
【発明を実施するための形態】
【００２２】
以下、本発明に係る乗客コンベアのオイルパン清掃装置を実施するための形態を図に基づいて説明する。
【００２３】
図１は本発明に係るオイルパン清掃装置の一実施形態が適用される乗客コンベアの一例として挙げたエスカレータを示す側面図、図２は本実施形態の構成を示す平面図である。
【００２４】
本発明に係る乗客コンベアのオイルパン清掃装置の一実施形態は、図１に示すように例えばエスカレータ１に適用される。このエスカレータ１は、チェーン４を介して無端状に連結された複数の踏段３と、これら踏段３の上方に沿って延設された欄干２と、複数の踏段３の下方に沿って延設されたオイルパン５と、チェーン４を駆動させて踏段３を循環移動させる駆動装置としての一対のターミナルギヤ６とを備えている。また、踏段３は、チェーン４が連結される前軸７ａに取り付けられた一対の前輪７と、これら前輪７に追従する一対の後輪８とを備え、それぞれ図示しない案内レール上を走行する。
【００２５】
図２に示すように、本発明の一実施形態は、踏段３の戻り側を走行する踏段３の前軸７ａに取り付けられる支持部材１２Ｂと、この支持部材１２Ｂに一端を回動可能に支持され、他端を踏段３の進行方向に向かって延在させてオイルパン５上面に摺接する板状の清掃体１２Ａと、支持部材１２Ｂが取り付けられた前軸７ａの前後に位置する一対の前軸７ｂから前軸７ａにそれぞれ取り付けられ、この前軸７ａを回転不能に保持する保持手段を備えている。この保持手段は、一対の回転抑止体、例えば一対の前軸７ｂから前軸７ａにそれぞれテンションを掛けて取り付けられた一対の粘着テープ１３から成っている。なお、清掃時にはこれら前軸７ａ，７ｂを備えた踏段３はそれぞれ外されている。また、清掃体１２Ａは、例えばダンボールから成っている。
【００２６】
このように構成した本発明の一実施形態によれば、支持部材１２Ｂが取り付けられた踏段３の前軸７ａを一対の前軸７ｂから粘着テープ１３でそれぞれ支持して回転不能にすることによって、オイルパン５から抵抗力を受けても支持部材１２Ｂが前軸７ａと共に回転することを抑えることができ、これに伴って清掃時に清掃体１２Ａとオイルパン５とのなす角を小さく保つことができる。これにより、清掃時に清掃体１２Ａに与えられる抵抗力を小さく保つことができ、オイルパン清掃装置が破損することを防止することができる。このように、ダンボール等によって軽量にした清掃体１２Ａであっても異常が生じることなく使用することができる。
【００２７】
また、本発明の一実施形態は、前軸７ａの前後に位置する一対の前軸７ｂから粘着テープ１３でそれぞれ前軸７ａを支持することによって、清掃時に支持部材１２Ｂが前軸７ａと共に軸線周りに回転することを確実に防止することができる。これにより、オイルパン清掃装置が破損することを確実に防止することができ、耐久性を向上することができる。
【００２８】
また、本発明の一実施形態は、粘着テープ１３を一対の前軸７ｂから前軸７ａにそれぞれ取り付けるだけで前軸７ａを回転不能にすることができるので、取付作業が簡便であり、製作コストを低減することができる。
【符号の説明】
【００２９】
１  エスカレータ
３  踏段
４  チェーン
５  オイルパン
７  前輪
７ａ，７ｂ  前軸
１２  オイルパン清掃装置
１２Ａ  清掃体
１２Ｂ  支持部材
１３  粘着テープ（回転抑止体）［保持手段］
【図１】
2010222089.tif 000003
【図２】
2010222089.tif 000004
【図３】
2010222089.tif 000005